(57)【要約】【課題】送信機のデビエーションが規定値とずれた場合に、受信感度が著しく低下して受信不可能になることがあるが、従来、無線通信機を運用中にデビエーションを補正する手段は知られていなかった。【解決手段】着信信号の通信品質が一定値以上悪化した場合、デビエーション補正信号を送信し、相手方送信機のデビエーション補正を促すように構成し、又は制御する。【選択図】図２
2008160731.tif 000002
【特許請求の範囲】
【請求項１】
周波数／位相変調方式の送信部と受信部を備えた無線通信機において、相手無線通信機から着信する受信信号の電界強度レベル又は受信品質を検出する手段と、その結果を予め設定した閾値と比較する手段と、比較した受信信号の電界強度レベル又は受信品質が閾値を下回るとき相手無線通信機に対しデビエーション補正信号を送信する手段とを備えたことを特徴とする無線通信機。
【請求項２】
周波数／位相変調方式の送信部と受信部を備えた無線通信機において、相手無線通信機からデビエーション補正信号を受信したとき、その旨を報知する手段又は自動的に前記送信部のデビエーションを補正する手段を備えたことを特徴とする無線通信機。
【請求項３】
請求項１記載の無線通信機において、更に、相手無線通信機から送信されるフレーム同期ワードを検出する手段と、受信検出したフレーム同期ワードと理想的なフレーム同期ワードとの誤差を検出する手段と、検出した誤差と予め設定した閾値と比較する手段と、誤差が閾値より大きいとき、相手無線通信機に対してデビエーション補正信号を送信する手段を備えたことを特徴とする無線通信機。
【請求項４】
請求項２記載の無線通信機において、相手無線通信機から受信したデビエーション補正信号に呼応して送信部のデビエーションを補正した際、予め設定した時間の経過を計測するタイマ手段と、設定した時間が経過したとき補正したデビエーションをリセットする手段を備えたことを特徴とする無線通信機。
【請求項５】
周波数／位相変調方式の送信部と受信部を備えた無線通信機が互いに通信する際の無線通信機の制御方法において、相手無線通信機から着信する受信信号の電界強度レベル又は受信品質を検出する処理と、その結果を予め設定した閾値と比較する処理と、比較した受信信号の電界強度レベル又は受信品質が閾値を下回るとき相手無線通信機に対しデビエーション補正信号を送信する処理と、相手無線通信機からデビエーション補正信号を受信したとき、その旨を報知する処理又は自動的に送信部のデビエーションを補正する処理を含むことを特徴とする無線通信機の制御方法。
【請求項６】
請求項５記載の無線通信機の制御方法において、更に、相手無線通信機から送信されるフレーム同期ワードを検出する処理と、受信検出したフレーム同期ワードと理想的なフレーム同期ワードとの誤差を検出する処理と、検出した誤差と予め設定した閾値と比較する処理と、誤差が閾値より大きいとき相手無線通信機に対してデビエーション補正信号を送信する処理を含むことを特徴とする無線通信機の制御方法。
【請求項７】
請求項５又は６記載の無線通信機の制御方法において、相手無線通信機から受信したデビエーション補正信号に呼応して送信部のデビエーションを補正した際、予め設定した時間の経過を計測するタイマ処理と、設定した時間が経過したとき補正したデビエーションをリセットする処理を含むことを特徴とする無線通信機の制御方法。
【発明の詳細な説明】
【技術分野】
【０００１】
本発明は、無線通信機及びその制御方法に関し、詳細には、送信部のデビエーションを補正することによって受信感度を向上する手段に関する。
【背景技術】
【０００２】
近年、業務用陸上移動無線通信機（Land Mobile Radio：ＬＭＲ）は周波数利用効率の観点から一チャネルあたりの周波数帯域の狭帯域化やデジタル化が進められている。デジタル化に際しては、既存のアナログ方式の無線通信機との共存や既設備の流用、制御の容易さ等からＦＭ変調方式の周波数シフトキーイング方式（Frequency Sift Keying：ＦＳＫ）を使用した周波数分割多重方式（Frequency Division  Multiple Access：ＦＤＭＡ）、あるいは位相を変化させる位相シフトキーイング方式（Phase Sift Keying：ＰＳＫ）が採用される場合が多い。
また、周波数変調手段、位相変調手段としては、例えば、電圧制御発振器（Voltage Controlled Oscillator：ＶＣＯ）や、水晶振動子を周波数発振源とする温度補償水晶発振器（Temperature Compensated Crystal Oscillator：ＴＣＸＯ）の周波数制御信号に、伝送すべきデータや音声信号を重畳することによって、周波数偏移や位相偏移を与えるようにしている。
【０００３】
一方、ＰＳＫやＦＳＫ等のような搬送波の位相偏移量や周波数偏移量によって情報伝達を行う通信方式においては、周波数偏移値や位相偏移値（以下これらを総称してデビエーションと云う）によって送信する搬送波の周波数帯域幅が変動するので、デビエーションの最大値が規定値を超えないように制限されている。
また近年、無線通信機での送受信は、音声信号のみならず各種のデータを送信することが多くなり、デジタル通信においては、音声信号もデジタル符号化されて送信されるようになっている。なお、音声信号とデータの送信に際して、両者のデビエーションを調整する方法としては例えば特許文献１に提案されたものが存する。これは、マイクからの信号に選択呼出し信号等を加算し、ＰＬＬ回路のＶＣＯの制御信号として供給することによって、ＦＭ変調やＰＭ変調行なう際の、不具合を解消するものであり、後述するように本発明の実施において利用可能な手段である。
【特許文献１】特開平１１−６８７１９号公報
【発明の開示】
【発明が解決しようとする課題】
【０００４】
ところで、無線通信機の送信信号のデビエーションは、一般に送信機の変調回路によって最大値が一定値以下になるように抵抗器やプリセットスイッチ等により半固定的に調整されるようになっており、必要に応じて種々の測定器が用意された保守メンテナンス工場等において行なわれる。
しかし、種々の原因によって設定したデビエーションが変動することがある。一般的に、変調回路において設定する最大デビエーション値が大きくなると、送信信号の周波数帯域幅が広がり、隣接チャネルや他の通信システムへの妨害となることから、変調回路に過大な信号が入力しても一定値以上のデビエーションにならないように構成されている。また、デジタル変調等の多値変調では、数段階の信号レベルに対応して、多段階のデビエーション値（周波数偏移量や位相偏移量）となるように変調されるので、各段階のデビエーション値は、設定した最大デビエーション値に比例して変動することになる。
このような使用状況において、種々の原因によって最大デビエーション設定値が変動すると、受信検波した際の検出レベルが変動し、実施的な受信感度が低下することになる。
【０００５】
図８は送信機のデビエーション誤差（横軸）とビットエラーレート（縦軸）の関係を測定した例を示すグラフであり、横軸中央の０は、４値ＦＳＫを例にして１０５０（Ｈｚ）とし、左右に１００（Ｈｚ）刻みで、±５００（Ｈｚ）の範囲で変化させた場合の、夫々のビットエラーレート（％）を測定した結果である。この図から明らかなように、プラス側、マイナス側ともに、±２５０Ｈｚ程度以上の誤差を生じると、急激にビットエラーレートが悪化して、データ復元が不可能になる。
しかしながら従来は、デビエーションに誤差が生じた場合、これを補正する手段が無く、各種の測定器を揃えた無線通信機の保守メンテナンスサービスステーションに持ち込んで、再調整を行なっていた。従って、何等かの原因でデビエーションが減少して、誤差が生じた場合であっても、図８に示したように±２５０Ｈｚ程度に大きな誤差に至り、全く受信不可能になるまで気がつかない状態で無線通信機を運用していたのが現状であった。
本発明は、このような従来の無線通信機におけるデビエーション誤差の発生に伴う不具合に鑑みてなされたものであって、無線通信機を運用しながら、デビエーション誤差の補正を自動的に、又は手動で行なうことによって、受信感度を常に最良の状態に保つことができるようにした無線通信機及びその制御方法を提供することを目的としている。
【課題を解決するための手段】
【０００６】
本発明はかかる課題を解決するために、請求項１記載の無線通信機は、周波数／位相変調方式の送信部と受信部を備えた無線通信機において、相手無線通信機から着信する受信信号の電界強度レベル又は受信品質を検出する手段と、その結果を予め設定した閾値と比較する手段と、比較した結果受信信号の電界強度レベル又は受信品質が閾値を下回るとき相手無線通信機にデビエーション補正信号を送信する手段とを備えたことを特徴とする。
請求項２記載の無線通信機は、周波数／位相変調方式の送信部と受信部を備えた無線通信機において、相手無線通信機からデビエーション補正信号を受信したとき、その旨を報知する手段又は自動的に送信部のデビエーションを補正する手段を備えたことを特徴とする。
請求項３記載の発明は、請求項１記載の無線通信機において、更に、相手無線通信機から送信されるフレーム同期ワードを検出する手段と、受信検出したフレーム同期ワードと理想的なフレーム同期ワードとの誤差を検出する手段と、検出した誤差と予め設定した閾値と比較する手段と、誤差が閾値より大きいとき、相手無線通信機に対してデビエーション補正信号を送信する手段を備えたことを特徴とする。
【０００７】
請求項４記載の発明は、請求項２記載の無線通信機において、相手無線通信機から受信したデビエーション補正信号に呼応して送信部のデビエーションを補正した際、予め設定した時間の経過を計測するタイマ手段と、設定した時間が経過したとき補正したデビエーションをリセットする手段を備えたことを特徴とする。
請求項５記載の発明は無線通信機の制御方法に関するもので、周波数／位相変調方式の送信部と受信部を備えた無線通信機が互いに通信する際の通信方法において、相手無線通信機から着信する受信信号の電界強度レベル又は受信品質を検出する処理と、その結果を予め設定した閾値と比較する処理と、比較した結果受信信号の電界強度レベル又は受信品質が閾値を下回るとき相手無線通信機にデビエーション補正信号を送信する処理と、相手無線通信機からデビエーション補正信号を受信したとき、その旨を報知する処理又は自動的に送信部のデビエーションを補正する処理を含んだことを特徴とする。
【０００８】
請求項６記載の発明は、請求項５記載の無線通信機の制御方法において、前記無線通信機は、更に、相手無線通信機から送信されるフレーム同期ワードを検出する処理と、受信検出したフレーム同期ワードと理想的なフレーム同期ワードとの誤差を検出する処理と、検出した誤差と予め設定した閾値と比較する処理と、誤差が閾値より大きいとき相手無線通信機に対してデビエーション補正信号を送信する処理を含むことを特徴とする。
請求項７記載の発明は、請求項５又は６記載の無線通信機の制御方法において、相手無線通信機から受信したデビエーション補正信号に呼応して送信部のデビエーションを補正した際、予め設定した時間の経過を計測するタイマ処理と、設定した時間が経過したとき補正したデビエーションをリセットする処理を含むことを特徴とする。
【発明の効果】
【０００９】
本発明は上述したように構成するので、夫々次のような効果が得られる。即ち、請求項１、及び請求項２記載の発明では、周波数／位相変調方式の送信部と受信部を備えた無線通信機において、相手無線通信機から着信する受信信号の電界強度レベル又は受信品質を検出するとともに閾値と比較し、閾値を下回るとき相手無線通信機にデビエーション補正信号を送信するように構成したので、この補正信号を受信した側では、自局のデビエーションが低下している可能性があるものと判断し、その旨を報知することによって、操作者に手動でデビエーション補正を促し、又は自動的にデビエーションの補正を行なうことが可能となる。また、デビエーション設定値が正常な場合においても、許容された範囲でデビエーションを増加することによって、通信相手方における受信感度を改善する効果が得られる。
【００１０】
請求項３記載の発明は、請求項１記載の無線通信機において、フレーム同期ワードを検出する手段を備え、受信検出したフレーム同期ワードと理想的なフレーム同期ワードとの誤差に基づいて通信品質を判断したので、正確に、しかも迅速に通信品質の判断を行ない、的確にデビエーション補正信号の送信を実施することができる。
請求項４記載の発明は、請求項２記載の無線通信機において、相手無線通信機から受信したデビエーション補正信号に呼応して送信部のデビエーションを補正した際、予め設定した時間の経過を計測するタイマ手段と、設定した時間が経過したとき補正したデビエーションをリセットする手段を備えたので、音声通信のように、送信の開始と終了とが明確でない場合において、デビエーション補正を元の状態に戻すためのリセットを的確に実行できる。
請求項５乃至７記載の発明は、無線通信機の制御方法に関するもので、請求項１乃至４記載の無線通信機の機能を、処理方法として構成したので、夫々の発明を実施するプログラム等のソフトウエア手段として実現することが可能となる。
【発明を実施するための最良の形態】
【００１１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
本発明の具体例を説明する前に、デビエーション誤差と受信感度との関係を検証した結果を説明する。図１は、最大デビエーション値の変動と、同一の受信品質を得るのに要するＲＦ（高周波）信号レベルとの関係を示したもの（受信感度）で、デビエーション誤差が０においては約−１２１ｄＢｍであることを示している。図１に示すように、デビエーション誤差が大きくなる程、同一通信品質を得るのに要する高周波信号の受信レベル（ＲＦ受信レベル：ｄＢｍ）が大きくなること、即ち、受信感度が低下することが明らかである。更に、図１に関して特に注目すべき事実は、マイナス側へのデビエーション誤差の方が、プラス側誤差に比べて、ＲＦ受信レベル低下が著しいことである。例えば、−２５０Ｈｚのずれに対するＲＦ受信レベルが−１１１ｄＢｍとなり、誤差０に対して１０ｄＢ程、大きなＲＦ信号入力が必要であり、その分受信感度が低下していることになる。また、プラス側への誤差発生は、＋１５０Ｈｚ程度までは、逆に受信感度が向上することが分かる。
本発明は、デビエーション誤差と受信感度との関係を踏まえ、この現象を積極的に利用して、無線通信機を運用しながら、デビエーション誤差の補正を自動的に、又は手動で行なうことによって、受信感度を常に最良の状態に保ち得るように構成した無線通信機及びその制御方法を提供する。
【００１２】
図２は本発明の基本的な考え方を説明するためのフローチャートである。この例では、比較的デビエーションが安定している基地局無線通信機と、温度変化や多大な振動等の環境条件が厳しく、デビエーション変動の可能性が高い移動局用の無線通信機とを例にして本発明を説明する。図２は、左側が基地局無線通信機、右側が移動局無線通信機の動作で、両者が互いに関連して動作する様子を示している。先ず、移動局から基地局に対して送信すると（Ｓｍ１）、基地局ではこの信号を受信（Ｓｓ１）するとともに、受信品質を検出する（Ｓｓ２）。その結果、通信品質が予め設定した閾値を下回る場合は（Ｓｓ３  Ｙｅｓ）、移動局に対しデビエーション補正信号を送信する（Ｓｓ４）。移動局ではこの信号を受信すると（Ｓｍ２）、自局の送信機のデビエーションを予め設定されている量増加する方向に補正し（Ｓｍ３）、増加したデビエーションによって再び送信する（Ｓｍ４）。この信号を基地局で受信すれば、再び上述したように受信品質検出と閾値との比較を行ない（Ｓｓ１乃至Ｓｓ３）、受信品質が閾値を越えた場合（Ｓｓ３  Ｎｏ）、受信準備完了である旨のメッセージを移動局に送信し（Ｓｓ５）、この信号を受信した移動局では（Ｓｍ５）、データ送信を行ない（Ｓｍ６）、データ送信が終了すると補正したデビエーションを元の状態にリセットし（Ｓｍ７）、処理を終了する。なお、図示は省略したが、上記Ｓｓ１乃至Ｓｓ４の処理によってデビエーションを増加しても、受信品質が閾値を越えない場合は、本発明による通信品質向上効果以上に、電界強度が小さいものと判断して、増加したデビエーションをリセットして処理を終了する。
また、受信品質は、受信信号強度検出手段（Receive Signal Strength Indicator：ＲＳＳＩ）によって検出可能であり、あるいは、ＲＳＳＩと実際の電界強度レベルとの関係が分かっていれば、受信品質検出に代えて、電界強度の検出であっても良い。
【００１３】
以上のように、受信品質が閾値以下である場合は、移動局側のデビエーションが低下している可能性があるので、基地局からデビエーション補正信号を送信し、移動局のデビエーションを例えば５０Ｈｚステップで増加する処理を行なう。そうすれば、図１を用いて説明したように、デビエーションの増加による受信感度向上効果によって基地局側の受信品質が向上することになる。この受信品質向上効果は、移動局側送信機のデビエーションが低下している場合に限らず、基地局への着信電界強度が低いことが原因で受信品質が閾値を下回る場合にも有用である。一般に、移動局より基地局の送信電力を大きく設定することが多いので、移動局における基地局電波の受信電界強度は十分であるが、逆方向の基地局における受信電界強度が低いために、双方の通信が成り立たないことが多いことを勘案すれば、本発明の効果によって、従来、通信不可能であった領域での通信が可能となることが理解できるであろう。その場合、図２に示した処理Ｓｓ２とＳｓ３の「通信品質検出」や「通信品質比較」に代えて「電界強度検出」と「電界強度比較」の処理を行なうことでもよい。
なお、上記実施例ではデビエーション補正信号を受信したとき自動的にデビエーション補正を実行する場合を説明したが、この例に代えて、デビエーション補正信号を受信した旨を、ビープ音、ＬＥＤ点滅、液晶ディスプレイへの表示等によって報知し、操作者にデビエーションの補正を促すようにしてもよい。この場合は、デビエーション補正起動スイッチを設けるか、キーボード操作によってデビエーション補正を行なうように構成しておく。
【００１４】
図３と図４は、本発明の変形実施例を示す基地局無線通信機と移動無線通信機の処理機能を示すフローチャートである。図２に示した例では、通信品質や受信電界強度が閾値を越えるまで複数回デビエーション補正処理を繰返す例を示したが、処理を簡単にして迅速な通信を行なうために、一回のデビエーション補正処理を行なうように構成することもできる。即ち、図３に示すように、移動局から送信開始メッセージを受信すると（Ｓｓ１１）、受信品質を検出し（Ｓｓ１２）、その結果、通信品質が予め設定した閾値を下回る場合は（Ｓｓ１２  Ｙｅｓ）、移動局に対しデビエーション補正信号と共に、受信準備完了メッセージを送信し（Ｓｓ１３）、移動局から送信されるデータを受信するが（Ｓｓ１４）、処理Ｓｓ１２における判断で、受信電界強度が閾値を上回る場合は受信準備完了メッセージのみを移動局に送信して（Ｓｓ１５）、データ受信に移行する（Ｓｓ１４）。
同様に、移動局無線通信機では、図４に示すように、送信開始メッセージを送信後（Ｓｍ１１）、基地局から受信準備完了メッセージを受信したとき（Ｓｍ１２  Ｙｅｓ）、同時にデビエーション補正メッセージが含まれているか否かを判断し（Ｓｍ１３）、含まれている場合は（Ｓｍ１３  Ｙｅｓ）、自局の送信機のデビエーションを予め設定されている量増加する方向に補正し（Ｓｍ１４）、増加したデビエーションによってデータ送信を行なうが（Ｓｍ１５）、デビエーション補正メッセージが含まれていない場合は（Ｓｍ１３  Ｎｏ）、デビエーション補正を行なうことなくデータ送信を行なう（Ｓｍ１５）。なお、図４においては図示を省略したが、データ送信が終了した後、補正したデビエーションをリセットしておく。また、この例においても、電界強度比較に限らず、通信品質の検出と閾値比較であっても構わない。
【００１５】
デビエーション補正の要否判断として、電界強度レベルや通信品質に代えて、フレーム同期ワード（ＦＳＷ）検出手段をもった無線通信機の場合、ＦＳＷのシンボル点における、検波値と理想値とのばらつきを計算し、その値と予め設定した閾値との比較に基づいて判断することも可能である。即ち、ＦＳＷの理想シンボル値をＸｆｓ、受信シンボル値をＸとするとき、理想シンボル値と受信シンボル値との誤差Ｙは、
Ｙｉ＝Ｘｆｓｉ−Ｘｉ  （但し、ｉは０からＮ）      ・・・・・式（１）
と表わされる。またＦＳＷのシンボル数をＮ、誤差平均をＸａと表わせば、
Ｘａ＝（１／Ｎ）ΣＹｉ  （但し、ｉは０からＮ）  ・・・  式（２）
となり、従って、誤差分散は
σ2  ＝（１／Ｎ）Σ（Ｙｉ−Ｘａ）2  （但し、ｉは０からＮ）・・・式（３）
この分散値σ2が大きいほど理想値との誤差が大きくなり、通信品質の評価を行なうことができる。そこで、上記式の計算を行ない、分散値σ2を予め設定した閾値と比較して、一定値以上に大きくなったとき、デビエーション補正信号を送信するように構成する。
【００１６】
図５はこのような処理を含んだ本発明の変形例を示す基地局無線通信機の処理フローチャートである。図５において、移動局から送信開始メッセージを受信すると（Ｓｓ２１）、上述した分散値σ2を算出するとともに、予め設定した閾値と比較し、閾値を越える場合は（Ｓｓ２２  Ｙｅｓ）、移動局に対しデビエーション補正信号と共に、受信準備完了メッセージを送信し（Ｓｓ２３）、移動局から送信されるデータを受信するが（Ｓｓ２４）、処理Ｓｓ２２における判断で、分散値σ2が閾値を下回る場合は受信準備完了メッセージのみを移動局に送信して（Ｓｓ２５）、データ受信に移行する（Ｓｓ２４）。このようにＦＳＷ検出機能を有する無線通信機では、ＦＳＷ検出が頻繁に行なわれるので、本発明におけるデビエーション補正の要否判断を行なう上で利用できる。
【００１７】
図６は、更に本発明の他の実施例を示す処理のフローチャートであり、音声通信を行なう移動局無線通信機に好適な実施例である。即ち、以上示した例では、データ通信における処理を主として説明したが、データ通信では開始と終了とが比較的明確である場合が多いのに対し、音声通信等では、その開始、終了が不明確である場合が多いので、補正したデビエーションをリセットするタイミングが把握し難い傾向がある。そこで、移動局無線通信機側に、所定時間を計測するタイマ機能を持たせ、予め設定した所定時間が経過するとデビエーション補正をリセットするように構成したものである。
図６において、処理が開始すると、先ず、移動局無線通機から基地局に向けて送信した後（Ｓｍ２１）と、それに応答して基地局から送信される信号を受信する（Ｓｍ２２）。基地局の返信には、既に説明したように移動局からの信号受信結果に基づいて、必要な場合はデビエーション補正信号が含まれているので、その有無を検出・判断し（Ｓｍ２３）、補正信号が含まれている場合は（Ｓｍ２３  Ｙｅｓ）、デビエーション補正を行なうとともに（Ｓｍ２４）、一定時間を計測するタイマを起動する（Ｓｍ２５）。そして所定の時間が経過したとき（Ｓｍ２６  Ｙｅｓ）、補正したデビエーションをリセットして元の値に戻し（Ｓｍ２７）処理を終了する。
【００１８】
なお、タイマ計測中に（タイマ時間未了中に）送信する場合はデビエーション補正した状態で送信し、タイマ時間終了後に送信する場合は、デビエーション補正なしの状態で送信することになり、必要があれば上記処理Ｓｍ２１に戻り、Ｓｍ２７の処理を繰返すことになる。好ましくは、一回あたりの平均的な通話時間より若干長い時間をタイマ時間としておけば、支障なく一回の通話中にはデビエーション補正を行なった状態での通話が可能となる。この方法によれば、音声通信のように開始と終了が判然としない場合に、不必要なデビエーション補正状態での送信を防止する効果がある。
【００１９】
本発明は、上述した実施形態のみに限定されたものではなく種々の変形が可能である。また、実施例においては、一方が基地局無線通信機、他方が移動局無線通信機の場合を示したが、この関係に限定する必要はなく、移動局無線通信機同士間の通信、基地局間の通信、あるいはレピータと移動局間の通信等、どのような組み合わせであっても適用可能である。更に、双方の無線通信機において、相手方のデビエーションを監視し、又は、電界強度、受信品質を監視して、それらが閾値を下回る程度に通信状態が悪化した場合に、相手方のデビエーション補正を指示する信号を送信するように構成することも可能である。
【００２０】
なお、本発明を実現する無線通信機の構成としては、種々のものが考えられるし、近年、デジタル方式の無線通信機が多く使用されているので、上述した機能を実現するようにプログラムを構築して、ＣＰＵを搭載する無線通信機のメモリにインストールすることによって、ソフトウエア的に実現することもできる。図７は、本発明を実現するための無線通信機の一構成例を示したブロック図である。この例に示す構成は、機能的なブロックとして表示したもので、アンテナ１、アンテナを送受信共用にするためのアンテナ共用器２、受信高周波部（ＲＸ）３、検波回路４、データ復調部５、フレーム同期ワード（ＦＳＷ）検出部６、受信品質検出部７、予め設定した閾値をメモリしておく閾値メモリ８、検出した受信品質結果を閾値メモリ８内の値と比較する比較器９、デビエーション補正信号発生回路１０、メッセージ検出回路１１を備えたものである。また、送信側は、送信電力増幅部（ＴＸ）１２、ＦＭ又はＰＭ変調器１３、ＦＭ／ＰＭ変調器１３に付属するデータ入力端子１４、マイクロホン１５、デビエーション補正回路１６、タイマ回路１７を備えている。これらの構成のうち、特筆すべきことは、受信部の検波回路の信号に基づいて、あるいは上述したようにＦＳＷ検出部６に際して検出した受信品質評価情報を、閾値メモリ８の値と比較し、その結果によってデビエーション補正信号発生回路１０からの信号を送信部に供給するようになっている点、及び、他の無線通信機から送信されるデビエーション補正信号、受信準備完了メッセージ等を検出するメッセージ検出回路１１の出力によって、送信部のデビエーション補正回路１６を起動する点、及び、タイマ回路１７によってデビエーション補正回路をリセットするように構成した点等である。
【００２１】
なお、この例では、送信側機能と、受信側機能の両者を含む構成例を示したが、基地局用無線機には通信品質判断機能とデビエーション補正信号送信機能を備えればよく、移動局用無線機にはデビエーション補正機能とメッセージ検出機能、タイマ機能を備えれば、少なくとも一方向の通信について本発明の機能を満たすことができる。また、従来例として示した同一出願人の提案した特許文献１記載の手段は、変調回路におけるデビエーション調整手段が開示されているので、本発明の実施に際して参照することができる。
更に、個々のブロックとその機能については、既に実施例に関連して説明したので、更なる詳細説明は省略するが、各ブロックの機能を内蔵する（図示省略）ＣＰＵ、ＲＯＭ、ＲＡＭに、処理プログラムとして構築したソフトウエアをインストールし、実行することによって本発明を実現できることは上述したとおりである。
【図面の簡単な説明】
【００２２】
【図１】本発明において利用するデビエーション誤差と受信感度の関係を示す計測結果のグラフ図。
【図２】本発明に係る無線通信機の処理の一実施態様例を示すフローチャート。
【図３】本発明に係る無線通信機の処理の他の実施例を示すフローチャート。
【図４】本発明に係る無線通信機の他の実施態様例を示すフローチャート。
【図５】本発明に係る無線通信機の他の実施態様例を示すフローチャート。
【図６】本発明に係る無線通信機の他の実施態様例を示すフローチャート。
【図７】本発明に係る無線通信機の一実施例を示すブロック図。
【図８】デビエーション誤差とビットエラーレートの関係を示すグラフ図。
【符号の説明】
【００２３】
３  受信高周波部、４  検波回路、５  データ復調部、６  フレーム同期ワード（ＦＳＷ）検出部、７  受信品質検出部、８  閾値メモリ、９  比較器、１０  デビエーション補正信号発生回路、１１  メッセージ検出回路、１２  送信電力増幅部（ＴＸ）、１３  メッセージ検出回路、１６  デビエーション補正回路、１７  タイマ回路。
【図１】
2008160731.tif 000003
【図２】
2008160731.tif 000004
【図３】
2008160731.tif 000005
【図４】
2008160731.tif 000006
【図５】
2008160731.tif 000007
【図６】
2008160731.tif 000008
【図７】
2008160731.tif 000009
【図８】
2008160731.tif 000010